(57)【要約】【課題】簡単な構成で組立性が良く、画像の上下左右のぶれを低減することのできるレンズ鏡筒を提供する。【解決手段】レンズ１と、光軸方向に配置される複数のガイドポール３と、レンズ１を固着保持するとともにガイドポール３を挿入する複数のガイド部２ａ、２ｂと２ｃを有する移動枠２と、を備え、第１のガイド部２ａ、２ｂは、円弧部とガイドポール３の直径よりも幅の狭い切り欠き部とで構成され、円弧部に内接する円の直径をガイドポール３の直径より小さくし、第１のガイド部２ａ、２ｂの弾性変形によりガイドポール３が圧入されることで、第１のガイド部２ａ、２ｂの弾性力によりガイドポール３を押圧挟持して光軸方向以外のガタを低減し、画像の揺れを防止する。また、部品点数が少なく組立性の良いレンズ鏡筒が得られる。【選択図】図１
2011118071.tif 000002
【特許請求の範囲】
【請求項１】
レンズと、
光軸方向に配置された複数のガイドポールと、
前記レンズを固着保持するとともに前記ガイドポールを挿入する複数のガイド部を有する移動枠と、を備え、
少なくとも１つの前記ガイド部は、円弧部と前記ガイドポールの直径よりも幅の狭い切り欠き部とで構成され、前記円弧部に内接する円の直径を前記ガイドポールの直径より小さくし、前記ガイド部の弾性変形により前記ガイドポールが圧入される
レンズ鏡筒。
【請求項２】
前記移動枠は、
前記ガイド部を光軸方向に複数有する
請求項１に記載のレンズ鏡筒。
【請求項３】
前記ガイド部は、
前記ガイドポールの直径より大きい内径を持つ当接部を有する
請求項１又は２に記載のレンズ鏡筒。
【請求項４】
前記移動枠を樹脂材料で成形する請求項１から３の何れかに記載のレンズ鏡筒。
【発明の詳細な説明】
【技術分野】
【０００１】
本発明は、テレビカメラやカメラレコーダー等に搭載されるレンズ鏡筒に関し、さらに詳しくはガイドポールに沿って案内される移動枠を有するズームレンズのレンズ鏡筒に関する。
【背景技術】
【０００２】
ズームレンズのレンズ鏡筒では、変倍機能を持ったレンズ群を保持する移動枠がガイドポールに案内され、光軸方向に移動することで焦点距離を変化させる。このとき、ズーム途中の画像の上下左右のぶれを低減するためには、移動枠に構成されたガイド部とガイドポールとの（光軸方向以外の）ガタを低減することが必要である。
【０００３】
レンズ鏡筒において、ガイド部とガイドポールとのガタを低減するための従来の方法としては、例えば、特許文献１に記載されているものが知られている。特許文献１のレンズ鏡筒は、レンズを保持する移動枠においてガイドポールを受けるガイド部に板ばねを設け、板ばねがガイドポールを押圧する構成となっている。
【先行技術文献】
【特許文献】
【０００４】
【特許文献１】特開２００７−２３２８８９号公報
【発明の概要】
【発明が解決しようとする課題】
【０００５】
しかしながら、板ばねを移動枠に取り付ける従来のレンズ鏡筒では、少なくとも１個の板ばねを新規で追加する必要があり、部品点数が増えコストが増加するとともに、板ばねを取り付けるための組立工数が増加するという課題があった。
【０００６】
また、通常ガイドポールと板ばねの材料は金属が用いられ、金属同士による接触押圧のため摺動性が悪いという課題があった。
【０００７】
本発明は、上記課題を解決するためになされたもので、レンズを固着保持する移動枠の光軸方向以外のガタを低減して像の揺れを防止することが可能で、しかも部品点数が少なく組立性の良いレンズ鏡筒を提供することを目的としている。
【課題を解決するための手段】
【０００８】
前記従来の課題を解決するため、本発明のレンズ鏡筒は、レンズと、光軸方向に配置された複数のガイドポールと、レンズを固着保持するとともにガイドポールを挿入する複数のガイド部を有する移動枠とを備え、少なくとも１つのガイド部は、円弧部とガイドポール直径よりも幅の狭い切り欠き部とで構成され、円弧部に内接する円の直径をガイドポールの直径より小さくし、前記ガイド部の弾性変形により前記ガイドポールが圧入される。
【発明の効果】
【０００９】
本発明のレンズ鏡筒によれば、レンズを固着保持する移動枠の少なくとも一つのガイド部に内接する円の直径をガイドポールの直径よりも小さくしたので、移動枠の弾性力によりガイドポールを押圧挟持することができ、光軸方向以外のガタを低減することが可能で、しかも部品点数が少なく組立性の良いレンズ鏡筒が得られる。
【図面の簡単な説明】
【００１０】
【図１】実施の形態１におけるレンズ鏡筒の斜視図
【図２】実施の形態１におけるレンズ鏡筒の斜視図
【図３】実施の形態１におけるレンズ鏡筒の部分詳細図
【図４】実施の形態１におけるレンズ鏡筒の部分断面図
【発明を実施するための形態】
【００１１】
以下に本発明を実施するための形態について、図面を参照しながら説明する。
【００１２】
（実施の形態１）
図１および図２は、実施の形態１におけるレンズ鏡筒の斜視図である。図３は、実施の形態１におけるレンズ鏡筒の部分詳細図である。図４は、実施の形態１におけるレンズ鏡筒の部分断面図である。
【００１３】
図１および図２に示すように、レンズ鏡筒は、レンズ１と、レンズ１を固着保持する移動枠２と、ガイドポール３とで構成される。レンズ１は、例えばズームレンズを構成するレンズ群のひとつである。変倍機能を持ったレンズ群を保持する移動枠２が、ガイドポール３に案内され、光軸方向に移動することで焦点距離を変化させる。
【００１４】
移動枠２の材料としては、例えば樹脂成形材料が用いられ、ガイドポール３の材料としては、例えば金属が用いられる。
【００１５】
移動枠２は第１のガイド部２ａ，２ｂと第２のガイド部２ｃとを一体的に構成する。第１のガイド部２ａ，２ｂと第２のガイド部２ｃのそれぞれにガイドポール３を挿入することで、移動枠２はレンズ１を光軸方向に移動可能に保持する。第１のガイド部２ａ，２ｂは、光軸方向の前側と後側にそれぞれ設けられており、レンズの傾きを低減するとともに光軸方向のスムーズな移動を可能にする。
【００１６】
ガイドポール３の両端はレンズ鏡筒本体（図示せず）に固定される。ガイドポール３は、光軸方向に配置される。
【００１７】
なお、本実施の形態１では、ガイドポール３が２本配置される構成について説明するが、ガイドポール３は、移動枠２を安定的に保持できればよく、２本に限定されず、３本以上であってもよい。
【００１８】
レンズ１を固着保持する移動枠２は、ガイドポール３により保持され、ステッピングモーター（図示せず）等の動作により、光軸方向に前後に移動する。
【００１９】
次に、図３を用いて、第１のガイド部２ａ、２ｂの構成の詳細について説明する。第１のガイド部２ａ，２ｂは、それぞれ円弧部２ｆと切り欠き部２ｇとで構成される。このとき、図４に示すように円弧部２ｆに内接する円の直径ｄ１がガイドポール３の直径ｄ２よりもわずかに小さくなるように構成する。これにより、ガイドポール３を第１のガイド部２ａ，２ｂに挿入するとき、第１のガイド部２ａ，２ｂの切り欠き部２ｇの周辺が弾性変形することでガイドポール３が軽圧入の状態となる。
【００２０】
一方、これに対して、切り欠き部２ｇを構成することなく円弧部２ｆのみでガイドポール３に対して軽圧入の状態に構成することも考えられる。しかしながら、この場合、レンズ鏡筒が低温または高温の状態になると、移動枠２とガイドポール３との材料の違いによる問題が発生する。つまり、材料の線膨張係数の違いにより、高温では線膨張係数の大きい材料で構成する移動枠２がより大きく膨張してガイドポール３とのガタが発生し、低温では移動枠２がより収縮して強い圧入になり光軸方向のスムーズな移動が阻害される。
【００２１】
本実施の形態１のレンズ鏡筒は、移動枠２のガイド部２ａ，２ｂに切り欠き部２ｇを構成してより大きな弾性変形量を確保して軽圧入状態としているので、温度変化に対してもガタがなく安定した光軸方向の移動が可能となる。
【００２２】
次に、第２のガイド部２ｃについて説明する。第２のガイド部２ｃは、第１のガイド部２ａ、２ｂと構成が異なり、円弧部２ｆや切り欠き部２ｇを有さない。ガイドポール３が挿入される第２のガイド部２ｃの当接部の内径は、ガイドポール３の直径よりわずかに大きくなるように構成する。これにより、移動枠２は、光軸方向にスムーズに移動できる。また、ガイドポール３に当接するガイド部を、第１のガイド部２ａ、２ｂと第２のガイド部２ｃのように複数設けることにより、移動枠２は光軸方向に安定して保持される。
【００２３】
なお、本実施の形態１では、第１のガイド部２ａ、２ｂと第２のガイド部２ｃをそれぞれ１つずつ設ける構成について説明したが、第１のガイド部２ａ、２ｂと第２のガイド部２ｃを、それぞれ複数設ける構成であってもよい。
【００２４】
以上のような構成により、第１のガイド部２ａ、２ｂは、円弧部２ｆとガイドポール３の直径よりも幅の狭い切り欠き部２ｇとで構成され、円弧部２ｆに内接する円の直径をガイドポール３の直径より小さくし、第１のガイド部２ａ、２ｂの弾性変形によりガイドポール３が圧入されることにより、移動枠２に構成したガイド部２ａ，２ｂとガイドポール３との間のガタを無くすことができ、移動枠２の光軸方向以外の動きを低減することで画像の揺れを防止することが可能である。また、ガイド部２ａ，２ｂは移動枠２と一体的に構成したので、ばね等を追加することが無く部品点数が少なく組立性の良いレンズ鏡筒が得られる。
【００２５】
なお、以上の説明では、ガイド部２ａ，２ｂの円弧部２ｆと切り欠き部２ｇはそれぞれ２箇所で構成した例で説明したが、それぞれ４箇所とするなどの構成も実施可能である。
【産業上の利用可能性】
【００２６】
本発明のレンズ鏡筒は、ズームレンズ等の移動枠をガイドポールに沿って案内する構成において有用である。
【符号の説明】
【００２７】
１  レンズ
２  移動枠
２ａ，２ｂ，２ｃ  ガイド部
２ｆ  円弧部
２ｇ  切り欠き部
３  ガイドポール
【図１】
2011118071.tif 000003
【図２】
2011118071.tif 000004
【図３】
2011118071.tif 000005
【図４】
2011118071.tif 000006